(57)【要約】    【課題】  抜け止め部材を容易に固定することができるレンズ鏡筒保持装置を提供する。    【解決手段】  レンズ鏡筒保持装置１００は、１群レンズ鏡筒１１１と、１群レンズ鏡筒１１１を保持して１群レンズ鏡筒１１１と共に光軸方向に進退するレンズ鏡筒ホルダ１１２と、レンズ鏡筒ホルダ１１２に保持されると共に２群レンズ鏡筒１１３を摺動可能に保持するサブガイド軸１３２と、サブガイド軸１３２における溝部に挿入され、サブガイド軸１３２がレンズ鏡筒ホルダ１１２に保持された状態を維持する略Ｕ字形状の抜け止め部材１４０とを備え、１群レンズ鏡筒１１１が抜け止め部材１４０の挿入口を覆う。【選択図】      図５
2006301295.tif 000002
【特許請求の範囲】
【請求項１】
第一のレンズ鏡筒と、前記第一のレンズ鏡筒とは異なる少なくとも一つの第二のレンズ鏡筒と、前記第一のレンズ鏡筒を保持すると共に、前記第一のレンズ鏡筒と共に光軸方向に進退するレンズ鏡筒保持枠と、前記レンズ鏡筒保持枠に保持されると共に前記第二のレンズ鏡筒を摺動可能に保持するガイド軸とを備えるレンズ鏡筒保持装置において、前記ガイド軸における溝部に挿入され、前記ガイド軸が前記レンズ鏡筒保持枠に保持された状態を維持する略Ｕ字形状の抜け止め部材とを備え、前記第一のレンズ鏡筒が前記抜け止め部材の挿入口を覆うことを特徴とするレンズ鏡筒保持装置。
【請求項２】
前記抜け止め部材は弾性変形せずに前記溝部に挿入されることを特徴とする請求項１記載のレンズ鏡筒保持装置。
【請求項３】
前記抜け止め部材は光軸中心側から外側に向かって前記溝部に挿入されることを特徴とする請求項１又は２記載のレンズ鏡筒保持装置。
【請求項４】
前記レンズ鏡筒保持枠は前記抜け止め部材を保持する壁形状部材を有することを特徴とする請求項１乃至３のいずれか１項に記載のレンズ鏡筒保持装置。
【請求項５】
前記第一のレンズ鏡筒は、前記抜け止め部材よりも光軸中心側に設けられ、前記抜け止め部材の後端部と突き当たる突き当て面を有することを特徴とする請求項１乃至４のいずれか１項に記載のレンズ鏡筒保持装置。
【発明の詳細な説明】
【技術分野】
【０００１】
本発明は、レンズ鏡筒保持装置に関し、特に、カメラや電子カメラ等に用いられるレンズ鏡筒保持装置に関する。
【背景技術】
【０００２】
従来より、カメラや電子カメラ等にはレンズ鏡筒保持装置が多く使用されている。レンズ鏡筒保持装置は、例えば、図６に示すように、進退駆動される第一のレンズ枠４、フォーカス保持枠６、及び第二のレンズ枠７と、フォーカスモータ（不図示）によりフォーカス保持枠６に対して光軸方向に進退駆動されるフォーカス枠５と、フォーカス保持枠６に固着され、第一のレンズ枠４及び第二のレンズ枠７を摺動自在に保持するガイド軸８及びガイド軸９と、スリーブ１０を介してフォーカス枠５を摺動自在に保持するガイド軸１１とを備える。
【０００３】
ガイド軸１１は、その先端部が第一のレンズ枠４の軸穴４ａに挿入されて嵌合されると共に、後端部が第二のレンズ枠７に設けられた軸穴７ａに摺動自在に挿入されて嵌合されることにより保持されており、第一のレンズ枠４と一体的に進退移動する。そして、フォーカス枠５は、スリーブ１０を介してガイド軸１１に対して摺動可能に保持されている。ここで、ガイド軸１１の先端部に設けられた溝部にＥリング１２を嵌め込むことによりガイド軸１１が第一のレンズ枠４に対して固定される構成となっている（例えば、特許文献１参照）。
【特許文献１】特開２００１−１８３５６９号公報
【発明の開示】
【発明が解決しようとする課題】
【０００４】
しかしながら、上記レンズ鏡筒保持装置において、Ｅリング１２をガイド軸１１の先端部に設けられた溝部に嵌め込むには、Ｅリング１２を弾性変形して（径方向に広げて）組み込む必要がある。よって、レンズ鏡筒保持装置が小型化されてＥリング１２を組み込むためのスペースが限られてくると、Ｅリング１２をガイド軸１１の先端部に設けられた溝部に嵌め込むことが困難となるという問題があった。さらに、第一のレンズ枠４にはＥリング１２の組み込み時の弾性変形を考慮した逃げスペースが必要となり、レンズ鏡筒保持装置を小型化すること自体が困難となるという問題があった。
【０００５】
本発明の目的は、抜け止め部材を容易に固定することができるレンズ鏡筒保持装置を提供することにある。
【課題を解決するための手段】
【０００６】
上記目的を達成するために、請求項１記載のレンズ鏡筒保持装置は、第一のレンズ鏡筒と、前記第一のレンズ鏡筒とは異なる少なくとも一つの第二のレンズ鏡筒と、前記第一のレンズ鏡筒を保持すると共に、前記第一のレンズ鏡筒と共に光軸方向に進退するレンズ鏡筒保持枠と、前記レンズ鏡筒保持枠に保持されると共に前記第二のレンズ鏡筒を摺動可能に保持するガイド軸とを備えるレンズ鏡筒保持装置において、前記ガイド軸における溝部に挿入され、前記ガイド軸が前記レンズ鏡筒保持枠に保持された状態を維持する略Ｕ字形状の抜け止め部材とを備え、前記第一のレンズ鏡筒が前記抜け止め部材の挿入口を覆うことを特徴とする。
【発明の効果】
【０００７】
本発明によれば、第一のレンズ鏡筒がガイド軸における溝部に挿入された抜け止め部材の挿入口を覆うので、抜け止め部材を容易に固定することができる。
【発明を実施するための最良の形態】
【０００８】
以下、本発明の実施の形態を図面を参照しながら説明する。
【０００９】
図１は、本発明の実施の形態に係るレンズ鏡筒保持装置の構成を概略的に示す断面図であり、レンズ鏡筒保持装置が沈胴状態にある場合を示す。また、図２は、本発明の実施の形態に係るレンズ鏡筒保持装置の構成を概略的に示す断面図であり、レンズ鏡筒保持装置が撮影状態（ワイド状態）にある場合を示す。
【００１０】
図１及び図２において、レンズ鏡筒保持装置１００は、光軸と同軸的に摺動自在に配された直進筒１２１と、直進筒１２１に同軸的に且つ光軸方向沿って収容されたカム環１２２と、カム環１２２に同軸的に且つ光軸方向沿って収容された固定筒１２３と、固定筒１２３に摺動自在に保持され、光軸方向沿って配設されたサブガイド軸１３２と、光軸方向沿って配設され、固定筒１２３及び後述するＣＣＤホルダ１２４により保持されるメインガイド軸１３３とを備える。
【００１１】
直進筒１２１は、直進ガイド溝と、後端側内周面に設けられると共に光軸中心に向かって設置されたカムピンとを有する。
【００１２】
カム環１２２は、内周に設けられたカム溝１２２ａと、絞りシャッターユニット用カム溝１２２ｂ及び手ブレ補正装置用カム溝１２２ｃと、ギア系によって構成された外周ギア１２２ｄと、直進筒１２１におけるカムピンと嵌合する外周に設けられたカム溝１２２ｅとを有する。
【００１３】
固定筒１２３は、軸穴１２３ａと、先端に設けられたフランジ部１２３ｂとを有する。
【００１４】
また、レンズ鏡筒保持装置１００は、直進筒１２１の先端部に固定されたレンズ鏡筒ホルダ１１２と、レンズ鏡筒ホルダ１１２により回動可能に保持された１群レンズ鏡筒１１１と、サブガイド軸１３２により摺動可能に保持された２群レンズ鏡筒１１３と、不図示のメインガイド軸及びサブガイド軸によって保持された絞りシャッタユニット１１４及び手ブレ補正装置を構成する３群レンズ鏡筒１１５と、メインガイド軸１３３に摺動可能に保持された４群レンズ鏡筒１１６と、固定筒１２３に保持されたＣＣＤホルダ１２４と、ＣＣＤホルダ１２４に保持された波ワッシャ１２５とを備える。
【００１５】
２群レンズ鏡筒１１３は、図３に示すように、メインガイド軸１３１が摺動可能に嵌入する軸穴１１３ａと、メインガイド軸１３１と光軸に対して略反対側に設けられた回り止め用のU溝１１３ｂと、２群レンズ鏡筒１１３の後方に延びる保持部１１３ｃと、保持部１１３ｃの先端に設置され、カム溝１２２ａと嵌合するカムピン１１３ｄとを有する。メインガイド軸１３１及びサブガイド軸１３２は、一端がレンズ鏡筒ホルダ１１２に保持され、他端が軸穴１２３ａに摺動自在に嵌入されて、レンズ鏡筒ホルダ１１２と一体的に進退移動する。
【００１６】
４群レンズ鏡筒１１６は、不図示のサブガイド軸に摺動可能に嵌合する回り止めを有し、フォーカスモータの回転が伝達されることによって光軸方向に駆動される。
【００１７】
さらに、レンズ鏡筒保持装置１００は、１群レンズ鏡筒１１１により保持され、変倍機能を有する１群レンズ１０１と、２群レンズ鏡筒１１３により保持され、変倍機能を有する２群レンズ１０２と、３群レンズ鏡筒１１５により保持され、変倍機能を有する３群レンズ１０３と、４群レンズ鏡筒１１６により保持され、フォーカス機能及び像面補正を有する４群レンズ１０４と、ＣＣＤホルダ１２４に保持されたＣＣＤ１０５とを備える。
【００１８】
カム環１２２は、外周ギア１２２ｄを介して伝達されたズームモータ（不図示）の駆動力によって回転する。そして、カム環１２２は、前端部がフランジ部１２３ｂと当接し、後端部が波ワッシャー１２５に当接していることにより、光軸方向の移動が規制される。
【００１９】
また、直進筒１２１おける直進ガイド溝が固定筒１２３に設けられた直進ガイド突起部に直進可能に嵌合することにより、直進筒１２１の回転方向の移動が規制される。
【００２０】
さらに、直進筒１２１に設置されたカムピンがカム溝１２２ｅと嵌合することにより、カム環１２２が回転すると直進筒１２１、２群レンズ鏡筒１１３、絞りシャッターユニット１１４、及び手ブレ補正装置１１５が各々のカム溝に沿って光軸方向に駆動され、レンズ１０１〜１０４は所望の焦点距離に応じて配置される。
【００２１】
以下、メインガイド軸１３１及びサブガイド軸１３２の保持方法及び組み込み方法について詳述する。ここで、メインガイド軸１３１とサブガイド軸１３２は保持方法及び組み込み方法が同一であるため、サブガイド軸１３２についてのみ記述する。
【００２２】
図４は、図１におけるサブガイド軸の嵌め込み部（Ａ部）の構成を概略的に示す斜視図である。また、図５は、図４におけるV−V線に関する断面図である。
【００２３】
図４及び図５において、１群レンズ鏡筒１１１をレンズ鏡筒ホルダ１１２に組み込む前に、レンズ鏡筒ホルダ１１２の軸穴１１２ａにサブガイド軸１３２を挿入して嵌合させ、サブガイド軸１３２の先端の溝部１３２ａに光軸側（内側）からＵ字抜け止め部材１４０を嵌め込む。レンズ鏡筒ホルダ１１２に設けられた突起部１１２ｂは、Ｕ字抜け止め部材１４０における外形部１４０ａと嵌合関係となっており、Ｕ字抜け止め部材１４０を固定すると共に、Ｕ字抜け止め部材１４０がサブガイド軸１３２の軸周りに回転するのを防止する。サブガイド軸１３２の先端の溝部１３２ａにＵ字抜け止め部材１４０を嵌め込んだ後、１群レンズ鏡筒１１１をレンズ鏡筒ホルダ１１２に組み込む。１群レンズ鏡筒１１１及びレンズ鏡筒ホルダ１１２にはサブガイド軸１３２及びＵ字抜け止め部材１４０における逃げスペースが設けられている。この逃げスペースの壁１１１ａとＵ字抜け止め部材１４０における端部１４０ｂとの距離Ｌ１は、サブガイド軸１３２の軸中心からＵ字抜け止め部材１４０の先端部１４０ｃまでの距離Ｌ２に比べて短い。よって、１群レンズ鏡筒１１１をレンズ鏡筒ホルダ１１２に組み込むと、Ｕ字抜け止め部材１４０はサブガイド軸１３２の先端における溝部１３２ａから抜けないので、Ｕ字抜け止め部材１４０を接着固定する必要はない。
【００２４】
本実施の形態によれば、Ｕ字抜け止め部材１４０はサブガイド軸１３２に嵌め込まれた後、１群レンズ鏡筒１１１をレンズ鏡筒ホルダ１１２に組み込むので、Ｕ字抜け止め部材１４０を接着固定する必要がなく、もってＵ字抜け止め部材１４０を容易に固定することができる。
【００２５】
本実施の形態によれば、Ｕ字抜け止め部材１４０はサブガイド軸１３２の先端における溝部１３２ａに光軸側（内側）から嵌め込まれるので、Ｕ字抜け止め部材１４０を嵌め込むときに、サブガイド軸１３２を乗り越えながら弾性変形させる必要がなく、もってＵ字抜け止め部材１４０を容易に嵌め込むことができ、また、嵌め込み時の弾性変形分の逃げスペースをレンズ鏡筒ホルダ１１２に設ける必要がなく、もって省スペース化を図ることができる。
【図面の簡単な説明】
【００２６】
【図１】本発明の実施の形態に係るレンズ鏡筒保持装置の構成を概略的に示す断面図であり、レンズ鏡筒保持装置が沈胴状態にある場合を示す。
【図２】本発明の実施の形態に係るレンズ鏡筒保持装置の構成を概略的に示す断面図であり、レンズ鏡筒保持装置が撮影状態（ワイド状態）にある場合を示す。
【図３】図１における２群レンズ鏡筒の構成を概略的に示す斜視図である。
【図４】図１におけるサブガイド軸の嵌め込み部の構成を概略的に示す斜視図である。
【図５】図４におけるV−V線に関する断面図である。
【図６】従来のレンズ鏡筒保持装置の構成を概略的に示す断面図である。
【符号の説明】
【００２７】
１００  レンズ鏡筒保持装置
１１１  １群レンズ鏡筒
１１２  レンズ鏡筒ホルダ
１１３  ２群レンズ鏡筒
１３２  サブガイド軸
１３２ａ  溝部
１４０  抜け止め部材
【図１】
2006301295.tif 000003
【図２】
2006301295.tif 000004
【図３】
2006301295.tif 000005
【図４】
2006301295.tif 000006
【図５】
2006301295.tif 000007
【図６】
2006301295.tif 000008